(57)【要約】【課題】バッテリパックから電力供給を受けて動作可能な電気機器を、磁力などの吸着力により壁面等の取付対象面に取り付けて使用するにあたり、取付対象面に取り付けられた状態が良好に維持されるようにする。【解決手段】電気機器取付ユニット３は、少なくとも１つの吸着部材と、機器支持部３０と、バッテリ装着部と、機器給電部とを備える。吸着部材は、取付対象面２に対して吸着させることが可能に構成されている。機器支持部３０は、電気機器５を着脱可能に構成されている。バッテリ装着部は、バッテリを有するバッテリパック７を着脱可能に構成されている。機器給電部は、バッテリ装着部に装着されたバッテリパック７内のバッテリの電力を電気機器５へ供給可能に構成されている。【選択図】図１
2018130010.tif 000002
【特許請求の範囲】
【請求項１】
鉛直方向に立設された取付対象面に対して吸着させることが可能に構成された少なくとも１つの吸着部材と、
電気機器を着脱可能に構成された機器支持部と、
バッテリを有するバッテリパックを着脱可能に構成されたバッテリ装着部と、
前記電気機器に対して電気的に接離可能に構成され、前記電気機器に電気的に接続されている場合に、前記バッテリ装着部に装着された前記バッテリパック内の前記バッテリの電力を前記電気機器へ供給可能に構成された機器給電部と、
を備える電気機器取付ユニット。
【請求項２】
請求項１に記載の電気機器取付ユニットであって、
前記少なくとも１つの吸着部材のうち少なくとも１つは、磁石である、電気機器取付ユニット。
【請求項３】
請求項１又は請求項２に記載の電気機器取付ユニットであって、
前記バッテリ装着部は、前記バッテリパックが装着された状態であって、且つ当該電気機器取付ユニットが前記取付対象面に取り付けられた状態において、前記バッテリパックが前記取付対象面側に直接露出するように設けられている、
電気機器取付ユニット。
【請求項４】
請求項３に記載の電気機器取付ユニットであって、
前記バッテリ装着部は、前記バッテリパックが装着された状態であって、且つ当該電気機器取付ユニットが前記取付対象面に取り付けられた状態において、前記バッテリパックにおける前記取付対象面側に直接露出する露出面の少なくとも一部が前記取付対象面と略同一面となるように設けられている、
電気機器取付ユニット。
【請求項５】
請求項１〜請求項４の何れか１項に記載の電気機器取付ユニットであって、
当該電気機器取付ユニットに対し、当該電気機器取付ユニットが前記取付対象面に取り付けられた状態で前記取付対象面と平行になる面を対向面と規定した場合に、
前記バッテリ装着部は、当該バッテリ装着部に対して前記バッテリパックを前記対向面と平行な方向へスライドさせることによって前記バッテリパックを着脱できるよう構成されている、
電気機器取付ユニット。
【請求項６】
請求項５に記載の電気機器取付ユニットであって、
前記電気機器取付ユニットに対し、当該電気機器取付ユニットが前記取付対象面に取り付けられた状態で前記取付対象面と垂直になる面であって且つ前記電気機器が前記機器支持部に装着された状態で前記電気機器の高さ方向と垂直になる面を水平面と規定した場合に、
前記バッテリ装着部は、当該バッテリ装着部に対して前記バッテリパックを前記水平面と平行な方向へスライドさせることによって前記バッテリパックを着脱できるよう構成されている、
電気機器取付ユニット。
【請求項７】
請求項６に記載の電気機器取付ユニットであって、
前記バッテリ装着部に対して前記高さ方向における上部に設けられ、前記バッテリ装着部、及び前記バッテリ装着部に前記バッテリパックが装着された状態における前記バッテリパックの少なくとも一部を、前記高さ方向の上側から覆うように設けられた、上覆部を備える、
電気機器取付ユニット。
【請求項８】
請求項１〜請求項７の何れか１項に記載の電気機器取付ユニットであって、
底壁部、及び前記底壁部から垂直且つ互いに対向するように立設された２つの側壁部、を有する溝形状の取付部材を備え、
前記バッテリ装着部は、前記取付部材における溝内の面側に設けられ、前記バッテリパックが装着された場合に前記バッテリパックが前記溝内に配置されるよう構成されており、
前記少なくとも１つの吸着部材は、前記２つの側壁部の少なくとも一方における、前記底壁部側とは反対側の端部に設けられている、
電気機器取付ユニット。
【請求項９】
請求項１〜請求項８の何れか１項に記載の電気機器取付ユニットであって、
さらに、
少なくとも１つの前記吸着部材が設けられた吸着面を含む吸着ハウジングと、
前記吸着ハウジングが収容される収容ハウジングであって、前記吸着ハウジングが突出される開口部を備え、前記吸着面が前記開口部を介して前記収容ハウジングの外部に露出した状態で前記吸着ハウジングが収容されるように構成された収容ハウジングと、
前記電気機器取付ユニットの使用者による操作に応じて前記吸着ハウジングを初期位置と最大突出位置との間で移動させるように構成された移動部であって、前記初期位置は、前記吸着ハウジングの一部又は全てが前記収容ハウジング内に収容された位置であり、前記最大突出位置は、前記吸着ハウジングが前記初期位置よりも前記開口部から突出する突出方向へ一定長移動された位置である、移動部と、
を備える、電気機器取付ユニット。
【請求項１０】
請求項９に記載の電気機器取付ユニットであって、
前記移動部は、
前記収容ハウジングの側面に設けられたスライド操作部であって、前記使用者により前記突出方向と非平行な方向にスライド操作されるように構成されたスライド操作部と、
前記吸着ハウジングに設けられた移動作用部であって、前記スライド操作部が前記スライド操作されることに応じて前記吸着ハウジングを前記突出方向又はその逆の収容方向へ移動させるように構成された移動作用部と、
を備える、電気機器取付ユニット。
【請求項１１】
請求項１０に記載の電気機器取付ユニットであって、
前記スライド操作部は、前記収容ハウジングの内部へ延設された柱状部材であって、前記スライド操作に応じて前記スライド操作される方向へ移動されるように構成された柱状部材を備え、
前記移動作用部は、前記柱状部材が挿入される挿入溝であって、前記突出方向及び前記スライド操作される方向の双方に非平行な方向に沿って設けられ、前記スライド操作部が前記スライド操作されると、前記柱状部材によって前記挿入溝の内壁に前記スライド操作される方向の荷重が加えられることにより前記吸着ハウジングが前記突出方向又は前記収容方向へ移動されるように構成された挿入溝を備える、
電気機器取付ユニット。
【請求項１２】
請求項１１に記載の電気機器取付ユニットであって、
前記移動作用部は、前記挿入溝の端部から前記スライド操作される方向へ屈曲して延設され、前記柱状部材が嵌入されるように構成された、溝端部を備える、電気機器取付ユニット。
【請求項１３】
請求項１２に記載の電気機器取付ユニットであって、
前記移動作用部は、前記溝端部に嵌入された前記柱状部材が前記溝端部から前記挿入溝へ移動するのを規制するように構成された規制部材を備える、電気機器取付ユニット。
【請求項１４】
請求項１〜請求項１３の何れか１項に記載の電気機器取付ユニットであって、
前記機器給電部は、
当該電気機器取付ユニットの外部へ引き出されるように設けられた可撓性の電源コードと、
前記電源コードの先端側に設けられ、前記電気機器が備えるＤＣジャックに挿抜可能に構成されたＤＣプラグと、
を備え、前記ＤＣプラグが前記電気機器の前記ＤＣジャックに挿入されることにより、前記バッテリの電力が前記電源コード、前記ＤＣプラグ及び前記ＤＣジャックを介して前記電気機器内へ供給されるよう構成されている、
電気機器取付ユニット。
【請求項１５】
電気機器と、
電気機器取付ユニットと、
を備える電気機器ユニットであって、
前記電気機器取付ユニットは、
鉛直方向に立設された取付対象面に対して吸着させることが可能に構成された少なくとも１つの吸着部材と、
前記電気機器を着脱可能に構成された機器支持部と、
バッテリを有するバッテリパックを着脱可能に構成されたバッテリ装着部と、
前記電気機器に対して電気的に接離可能に構成され、前記電気機器に電気的に接続されている場合に、前記バッテリ装着部に装着された前記バッテリパック内の前記バッテリの電力を前記電気機器へ供給可能に構成された機器給電部と、
を備える、電気機器ユニット。
【請求項１６】
バッテリを有するバッテリパックと、
前記バッテリの電力により動作可能に構成された電気機器と、
電気機器取付ユニットと、
を備える電気機器ユニットであって、
前記電気機器取付ユニットは、
鉛直方向に立設された取付対象面に対して吸着させることが可能に構成された少なくとも１つの吸着部材と、
前記電気機器を着脱可能に構成された機器支持部と、
前記バッテリパックを着脱可能に構成されたバッテリ装着部と、
前記電気機器に対して電気的に接離可能に構成され、前記電気機器に電気的に接続されている場合に、前記バッテリ装着部に装着された前記バッテリパック内の前記バッテリの電力を前記電気機器へ供給可能に構成された機器給電部と、
を備える、電気機器ユニット。
【発明の詳細な説明】
【技術分野】
【０００１】
本開示は、バッテリパックから電力供給を受けて動作可能な電気機器を壁面等の取付対象面に取り付けて使用するための技術に関する。
【背景技術】
【０００２】
各種電気機器の使用態様として、壁面や柱などに取り付けて使用する態様が考えられる。特許文献１には、レーザー墨出し器を、磁石を有する取付部を介して、その磁石の磁力により梁や天井などに取り付けて使用可能な技術が記載されている。特許文献１に記載の技術は、各種電気機器を壁面や柱などに取り付けるための具体的手段としても利用可能である。
【先行技術文献】
【特許文献】
【０００３】
【特許文献１】米国特許出願公開第２０１５／０２９２８８６号明細書
【発明の概要】
【発明が解決しようとする課題】
【０００４】
ところで、電気機器の電源電力として、電気機器とは別体のバッテリパックの電力を利用できると便利である。バッテリパックの電力を電気機器へ供給するための具体的構成としては、バッテリパックを電気機器に対して着脱可能とし、バッテリパックが電気機器に装着されている場合にバッテリパックの電力を電気機器へ供給可能とする構成が考えられる。
【０００５】
しかし、電気機器にバッテリパックが装着されると、電気機器単体の場合に比べて当然ながら重量が増加する。そのため、バッテリパックが装着された電気機器を、特許文献１に記載の技術を利用して、取付部を介して磁力により壁面等に取り付けた場合、バッテリパックが装着されていない場合に比べて全体としての重心が壁面から遠くなり、落下しやすくなる。特に、壁面等とバッテリパックの距離が長くなるほど、落下のしやすさが増す。
【０００６】
本開示の一局面は、バッテリパックから電力供給を受けて動作可能な電気機器を、磁力などの吸着力により壁面等の取付対象面に取り付けて使用するにあたり、取付対象面に取り付けられた状態が良好に維持されるようにすることを目的とする。
【課題を解決するための手段】
【０００７】
本開示の一局面の電気機器取付ユニットは、少なくとも１つの吸着部材と、機器支持部と、バッテリ装着部と、機器給電部とを備える。
吸着部材は、鉛直方向に立設された取付対象面に対して吸着させることが可能に構成されている。機器支持部は、電気機器を着脱可能に構成されている。バッテリ装着部は、バッテリを有するバッテリパックを着脱可能に構成されている。機器給電部は、電気機器に対して電気的に接離可能に構成され、電気機器に電気的に接続されている場合に、バッテリ装着部に装着されたバッテリパック内のバッテリの電力を電気機器へ供給可能に構成されている。
【０００８】
このような構成により、電気機器及びバッテリパックを、電気機器取付ユニットを介して、吸着部材の吸着力によって取付対象面に取り付けることができる。特に、バッテリパックについては、電気機器に直接装着する必要はなく、電気機器取付ユニットに対して装着するように構成されている。そして、バッテリパック内のバッテリの電力は、電気機器取付ユニットが有する機器給電部によって、電気機器へ供給される。
【０００９】
このように、バッテリパックを電気機器に直接装着するのではなく電気機器取付ユニットに装着するよう構成されていることで、電気機器及びバッテリパックが装着された状態（以下、「フル装着状態」ともいう）の電気機器取付ユニットが取付対象面に取り付けられた状態におけるそのフル装着状態の電気機器取付ユニット全体の重心を、取付対象面側に近付けることが可能となる。
【００１０】
したがって、このような構成の電気機器取付ユニットによれば、フル装着状態の電気機器取付ユニットを取付対象面に取り付けた場合に、その取付対象面に取り付けられた状態を良好に維持させることが可能となる。
【００１１】
なお、取付対象面について「鉛直方向に立設された」とは、取付対象面が鉛直方向と平行になるように立設されていることのみを意味するものではない。取付対象面に平行なベクトルを鉛直方向成分と鉛直方向に垂直な方向の成分とに分解した場合に鉛直方向成分が存在する（つまり０ではない）ようなあらゆる形態を含むものである。
【００１２】
また、吸着部材について、取付対象面に対して「吸着」とは、取付対象面に対する機械的な係合状態を生じさせることなく、取付対象面に対して密着させる作用を働かせることによって密着させることであって、その密着位置から離間する方向の外力が密着状態を維持し得る上限を超えない限りにおいてはその密着位置に対する密着状態が維持され、上記外力が上記上限を超えるとその密着位置に対する密着状態が解除されて密着位置から離間するような態様を意味する。
【００１３】
また、機器給電部について、電気機器に対して「接離」とは、接続及び離間を意味する。即ち、電気的に接離可能とは、電気的に接続された状態、及び電気的な接続状態が解除されて電気的には非接続となった状態、のうち何れか一方を選択的にとり得ることを意味する。
【００１４】
前記少なくとも１つの吸着部材のうち、少なくとも１つは、磁石であってもよい。このような構成によれば、取付対象面が、当該磁石との間で相互に引きつけ合う方向の磁力が発生するような磁性体、或いは当該磁石の磁極とは反対の極性の磁極の磁石を有している場合、磁石の磁力によって容易に取付対象面に取り付けることができる。
【００１５】
バッテリ装着部は、当該バッテリ装着部にバッテリパックが装着された状態であって、且つ電気機器取付ユニットが取付対象面に取り付けられた状態において、バッテリパックが取付対象面側に直接露出するように設けられていてもよい。
【００１６】
このような構成によれば、フル装着状態の電気機器取付ユニットを取付対象面に取り付けたとき、そのフル装着状態の電気機器取付ユニット全体の重心を、取付対象面側により近付けることができる。そのため、フル装着状態の電気機器取付ユニットを取付対象面に取り付けた場合に、その取付対象面に取り付けられた状態をより良好に維持させることが可能となる。
【００１７】
バッテリ装着部は、さらに、当該バッテリ装着部にバッテリパックが装着された状態であって、且つ電気機器取付ユニットが取付対象面に取り付けられた状態において、バッテリパックにおける、取付対象面側に直接露出する露出面の少なくとも一部が、取付対象面と略同一面となるように設けられていてもよい。
【００１８】
このような構成によれば、バッテリパックが装着された電気機器取付ユニットを取付対象面に取り付けたとき、バッテリパックにおける上記露出面の少なくとも一部が、取付対象面に接触するか、若しくは接触しないとしても取付対象面に非常に近い位置関係となる。そのため、フル装着状態の電気機器取付ユニットを取付対象面に取り付けたとき、そのフル装着状態の電気機器取付ユニット全体の重心を、取付対象面側にさらに近付けることができる。これにより、フル装着状態の電気機器取付ユニットを取付対象面に取り付けた場合に、その取付対象面に取り付けられた状態をさらに良好に維持させることが可能となる。
【００１９】
ここで、電気機器取付ユニットに対して対向面を規定する。対向面とは、電気機器取付ユニットが取付対象面に取り付けられた状態において取付対象面と平行になる面である。そして、バッテリ装着部は、当該バッテリ装着部に対してバッテリパックを対向面と平行な方向へスライドさせることによってバッテリパックを着脱できるよう構成されていてもよい。
【００２０】
このような構成によれば、電気機器取付ユニットが取付対象面に取り付けられていない状態及び取り付けられている状態のいずれにおいても、電気機器取付ユニットに対するバッテリパックの着脱を容易に行うことができる。また、バッテリパックにおける上記スライド方向の両端面のいずれかに、所定の情報を出力する出力部あるいは使用者による操作を受け付ける操作部が設けられている場合は、そのバッテリパックが電気機器取付ユニットに装着された状態での出力部の視認あるいは操作部の操作を実現することが可能となる。
【００２１】
なお、ここでいう「平行」とは、厳密な意味での平行に限るものではなく、上記と同様の効果を奏するのであれば厳密に平行でなくてもよい。
ここで、さらに、電気機器取付ユニットに対して水平面を規定する。水平面とは、電気機器取付ユニットが取付対象面に取り付けられた状態において取付対象面と垂直になる面であって、且つ、電気機器が機器支持部に装着された状態において電気機器の高さ方向と垂直になる面である。そして、バッテリ装着部は、当該バッテリ装着部に対してバッテリパックを水平面と平行な方向へスライドさせることによってバッテリパックを着脱できるよう構成されていてもよい。
【００２２】
このような構成によれば、バッテリ装着部に対するバッテリパックの着脱は、バッテリパックを対向面と平行且つ水平面と平行な方向へスライドさせることにより行われる。そのため、バッテリパックの着脱をより容易に且つ安定的に行うことができる。また、バッテリパックが前述のように出力部あるいは操作部が設けられた構成の場合、バッテリパックが装着された状態での、出力部の視認性あるいは操作部の操作性をより高めることができる。
【００２３】
なお、ここでいう「平行」についても、前述同様、厳密な意味での平行に限るものではなく、上記と同様の効果を奏するのであれば厳密に平行でなくてもよい。
上記のように、バッテリ装着部に対してバッテリパックを水平面と平行な方向ヘスライドさせて着脱させる構成の場合、電気機器取付ユニットは、さらに、上覆部を備えていてもよい。上覆部は、バッテリ装着部に対して前記高さ方向における上部に設けられ、バッテリ装着部、及びバッテリ装着部にバッテリパックが装着された状態における当該バッテリパックの少なくとも一部を、前記高さ方向の上側から覆うように設けられた部材である。
【００２４】
このような構成によれば、フル装着状態の電気機器取付ユニットを取付対象面に取り付けて電気機器を使用する際、電気機器取付ユニットの上方から粉塵や水滴などの異物が落ちてきたとしても、バッテリパックにおける少なくとも上覆部で覆われた領域をその異物から保護することができる。
【００２５】
また、バッテリパックが取り外された状態で電気機器取付ユニットが取付対象面に取り付けられている場合、バッテリ装着部の構成によっては、バッテリパックと機器給電部との電気的接続箇所が外部に露出する可能性がある。しかし、そのような構成であっても、上覆部が設けられていることによって、その電気的接続箇所を、上方から落ちてくる異物から保護することができる。
【００２６】
上述した各構成の電気機器取付ユニットは、溝形状の取付部材を備えていてもよい。この取付部材は、底壁部、及び２つの側壁部を有する溝形状の部材である。２つの側壁部は、それぞれ、底壁部から垂直且つ互いに対向するように立設されている。そして、バッテリ装着部は、取付部材における溝内の面側に設けられ、バッテリパックが装着された場合にバッテリパックが溝内に配置されるよう構成されていてもよい。さらに、上記少なくとも１つの吸着部材は、２つの側壁部の少なくとも一方における、底壁部側とは反対側の端部に設けられていてもよい。
【００２７】
このような構成によれば、電気機器ユニットを取付対象面に取り付けた場合、取付部材における溝内の領域が取付対象面に対向することとなり、取付部材における２つの側壁部のうち少なくとも一方の端部が（詳しくはその端部に設けられた吸着部材が）取付対象面に接触することとなる。
【００２８】
そのため、溝形状の取付部材を備えるという簡素な構成ながら、バッテリパックの着脱性を向上させることができ、且つ、フル装着状態で取付対象面に取り付けられた状態における電気機器取付ユニット全体の重心を取付対象面側により近づけることができる。また、前述の、電気機器取付ユニットが取付対象面に取り付けられた状態でバッテリパックが取付対象面側に直接露出するような構成、さらにその直接露出する露出面の少なくとも一部が取付対象面と略同一面となるような構成は、溝形状の取付部材によって容易に実現することができる。
【００２９】
なお、底壁部に対する各側壁部の立設方向について「垂直」とは、厳密な意味での垂直に限るものではなく、上記と同様の効果を奏するのであれば厳密に垂直でなくてもよい。
電気機器取付ユニットは、さらに、吸着ハウジングと、収容ハウジングと、移動部とを備えていてもよい。
【００３０】
吸着ハウジングは、少なくとも１つの吸着部材が設けられた吸着面を含む。
収容ハウジングは、吸着ハウジングが収容される。収容ハウジングは、収容ハウジングに収容された吸着ハウジングが収容ハウジングの外部へ突出される開口部を備える。吸着ハウジングは、収容ハウジングにおいて、吸着面が開口部を介して収容ハウジングの外部に露出した状態で収容される。
【００３１】
移動部は、電気機器取付ユニットの使用者による操作に応じて、吸着ハウジングを初期位置と最大突出位置との間で移動させる。初期位置は、吸着ハウジングの一部又は全てが収容ハウジング内に収容された位置である。最大突出位置は、吸着ハウジングが初期位置よりも開口部から突出する突出方向へ一定長移動された位置である。
【００３２】
このように構成された電気機器取付ユニットでは、使用者は、移動部を操作することによって、取付対象面に対する、機器支持部及びバッテリ装着部の位置を、調整することができる。
【００３３】
移動部は、スライド操作部と、移動作用部とを備えていてもよい。スライド操作部は、収容ハウジングの側面に設けられ、使用者により突出方向と非平行な方向にスライド操作される。移動作用部は、吸着ハウジングに設けられ、スライド操作部がスライド操作されることに応じて吸着ハウジングを突出方向又はその逆の収容方向へ移動させる。
【００３４】
このように構成された電気機器取付ユニットでは、使用者は、スライド操作部をスライド操作させることによって吸着ハウジングの位置を調整することができる。
スライド操作部は、収容ハウジングの内部へ延設された柱状部材を備えていてもよい。柱状部材は、スライド操作部に対するスライド操作に応じて、そのスライド操作される方向へ移動される。
【００３５】
また、移動作用部は、柱状部材が挿入される挿入溝を備えていてもよい。挿入溝は、突出方向及びスライド操作される方向の双方に非平行な方向に沿って設けられる。スライド操作部がスライド操作されると、柱状部材によって、挿入溝の内壁に、スライド操作される方向の荷重が加えられる。この荷重により、吸着ハウジングが突出方向又は収容方向へ移動される。
【００３６】
このような構成の電気機器取付ユニットによれば、柱状部材によって挿入溝の内壁へ荷重をかけるという簡素な構成にて、吸着ハウジングを移動させることができる。
移動作用部は、さらに、挿入溝の端部から延設された溝端部を備えていてもよい。溝端部は、挿入溝の端部から、スライド操作部がスライド操作される方向へ屈曲して延設され、柱状部材が嵌入されるように構成されている。
【００３７】
このような構成の電気機器取付ユニットによれば、吸着ハウジングが初期位置又は最大突出位置に移動された場合に、柱状部材が溝端部へ嵌入される。柱状部材が溝端部へ嵌入されることにより、吸着ハウジングに対して吸着ハウジングの外部から突出方向又は収容方向へ荷重が加えられても、吸着ハウジングの移動が抑制される。
【００３８】
移動作用部は、さらに、規制部材を備えていてもよい。規制部材は、溝端部に嵌入された柱状部材が溝端部から挿入溝へ移動するのを規制する。
このような構成の電気機器取付ユニットによれば、溝端部に柱状部材が嵌入されている場合に、スライド操作部に対して意図せず外力が加わっても、スライド操作部が上記スライド操作される方向へ意図せずスライドされることが抑制される。
【００３９】
機器給電部は、可撓性の電源コードと、ＤＣプラグとを備えていてもよい。電源コードは、電気機器取付ユニットにおいて、当該電気機器取付ユニットの外部へ引き出されるように設けられたものである。ＤＣプラグは、電源コードの先端側に設けられ、電気機器が備えるＤＣジャックに挿抜可能に構成されたものである。そして、電気機器取付ユニットは、ＤＣプラグが電気機器のＤＣジャックに挿入されることによって、バッテリの電力が、電源コード、ＤＣプラグ及びＤＣジャックを介して電気機器内へ供給されるよう構成されていてもよい。
【００４０】
このような構成によれば、電気機器取付ユニットから電気機器へのバッテリ電力の供給を容易に行うことができる。
本開示の別の局面における電気機器ユニットは、電気機器と、電気機器取付ユニットとを備える。そして、電気機器取付ユニットは、吸着部材と、機器支持部と、バッテリ装着部と、機器給電部とを備える。吸着部材は、鉛直方向に立設された取付対象面に対して吸着させることが可能に構成されている。機器支持部は、電気機器を着脱可能に構成されている。バッテリ装着部は、バッテリを有するバッテリパックを着脱可能に構成されている。機器給電部は、電気機器に対して電気的に接離可能に構成され、電気機器に電気的に接続されている場合に、バッテリ装着部に装着されたバッテリパック内のバッテリの電力を電気機器へ供給可能に構成されている。
【００４１】
なお、上記構成の電気機器ユニットは、さらに、バッテリパックを備えていてもよい。
このような構成の電気機器ユニットによれば、フル装着状態で取付対象面に取り付けた場合に、その取り付けられた状態を良好に維持させることができる。
【図面の簡単な説明】
【００４２】
【図１】実施形態の電気機器ユニットの左側面図である。
【図２】実施形態の電気機器ユニットの平面図である。
【図３】実施形態の電気機器ユニットの背面図である。
【図４】実施形態の電気機器取付ユニットの左側面図である。
【図５】実施形態の電気機器取付ユニットの右側面図である。
【図６】実施形態の電気機器取付ユニットの平面図である。
【図７】実施形態の電気機器取付ユニットの背面図である。
【図８】実施形態のバッテリパックの斜視図である。
【図９】第１半割ユニットの斜視図である。
【図１０】第２半割ユニットの斜視図である。
【図１１】基板及び配線等が敷設された状態の第１半割ユニットの斜視図である。
【図１２】電気機器取付ユニット内の電気的構成を示す回路図である。
【図１３】電気機器内の電気的構成を示す回路図である。
【図１４】電気機器ユニットの他の例を示す説明図である。
【図１５】電気機器ユニットの他の例を示す説明図である。
【図１６】電気機器取付ユニットの他の例を示す斜視図である。
【図１７】図１６の電気機器取付ユニットを他の角度から見た斜視図である。
【図１８】図１６の電気機器取付ユニットから吸着ハウジングを省いた状態を示す斜視図である。
【図１９】図１６の電気機器取付ユニットにおける吸着ハウジングの移動過程を示す説明図である。
【図２０】図１６の電気機器取付ユニットにおける吸着ハウジングの斜視図である。
【図２１】図１６の電気機器取付ユニットにおける吸着ハウジングの平面図である。
【図２２】図１６の電気機器取付ユニットにおけるスライダの斜視図である。
【図２３】図２２のスライダを他の角度から見た斜視図である。
【図２４】図１６の電気機器取付ユニットにおける、状態Ａでの、上部収容ハウジングと吸着ハウジングとの位置関係を示す説明図である。
【図２５】図１６の電気機器取付ユニットにおける、状態Ｂでの、上部収容ハウジングと吸着ハウジングとの位置関係を示す説明図である。
【図２６】図１６の電気機器取付ユニットにおける、状態Ｃでの、上部収容ハウジングと吸着ハウジングとの位置関係を示す説明図である。
【発明を実施するための形態】
【００４３】
以下、本開示の実施形態について、図面を参照しながら説明する。
［１．実施形態］
（１−１）電気機器ユニットの概要
図１〜図３を用いて、電気機器ユニット１の構成の概要を説明する。電気機器ユニット１は、電気機器取付ユニット（以下、「取付ユニット」と略称する）３と、電気機器５と、バッテリパック７とを備える。本実施形態の電気機器５は、土木、建築作業等で用いられるレーザー墨出し器として構成されている。
【００４４】
電気機器ユニット１は、取付ユニット３によって、壁面や柱などの取付対象面２に吸着させて取り付けることが可能に構成されている。図１及び図２は、電気機器ユニット１が取付対象面２に取り付けられた状態を示している。取付対象面２は、本実施形態では、鉛直方向と平行となるように立設されている。また、取付対象面２は、本実施形態では、磁石との間で相互に引きつけ合う方向の磁力が発生するような磁性体である。取付ユニット３は、後述するように、磁力によって取付対象面２に取り付けられる。
【００４５】
取付ユニット３は、電気機器５を取付対象面２の任意の位置に配置して使用するために用いられる。取付ユニット３は、取付部１０と、機器支持部３０とを備える。機器支持部３０は、図１及び図２に示すように、機器載置面３１を備える。電気機器５は、取付ユニット３に対し、機器載置面３１上に載置された状態で支持される。
【００４６】
バッテリパック７は、取付部１０に対して着脱可能である。バッテリパック７は、内部にバッテリ７１（図８，図１２参照）を備える。また、バッテリパック７は、図１に示すように、一端面に、内部のバッテリ７１の残量を示す情報を表示するための残量表示部７３が設けられている。バッテリパック７の残量表示部７３は、バッテリパック７が取付ユニット３に装着された状態であっても視認可能である。
【００４７】
なお、バッテリパック７は、取付ユニット３にのみ装着可能な専用のバッテリパックであってもよいし、取付ユニット３だけでなく他の各種の機器に着脱して使用可能に構成されたもの、即ち異なる複数種類の機器等で共通して仕様可能なものであってもよい。
【００４８】
電気機器５は、本体部６０を備える。本体部６０の側面には、垂直射出部６１及び水平射出部６２が設けられている。垂直射出部６１は、垂直方向基準線を示す垂直レーザー光を外部へ射出するように構成されている。水平射出部６２は、水平方向基準線を示す水平レーザー光を外部へ射出するように構成されている。
【００４９】
電気機器５の上面には、図２に示すように、電源スイッチ６６、モード切替スイッチ６７、及び残量表示部６８が設けられている。残量表示部６８には、バッテリパック７内のバッテリ７１の残量が表示される。
【００５０】
電源スイッチ６６が押下されると、電源が投入されて電気機器５が起動する。起動後、電源スイッチ６６が長押し（例えば規定時間以上継続して押下）されると、電気機器５の動作が停止される。また、起動後、電源スイッチ６６が短押し（例えば、押下後規定時間が経過する前に押下が解除）される度に、いわゆるループバックスイッチ方式にて、レーザー光の射出状態が複数種類の射出状態の何れかに順次切り替わる。
【００５１】
モード切替スイッチ６７は、レーザー光の点灯方式を、連続点灯方式及びパルス状点灯方式の何れかに切り替えるためのスイッチである。モード切替スイッチ６７が短押しされる度に、レーザー光の点灯方式が上記二種類の点灯方式の何れかに交互に切り替わる。
【００５２】
なお、パルス状点灯方式とは、レーザー光を連続的に生成させるのではなく、一定周期で間欠的に生成させる駆動方式である。具体的に、パルス状点灯方式では、設定されたデューティ比にてレーザー光の点灯及び消灯が交互に繰り返される。
【００５３】
パルス状点灯方式のデューティ比は、一種類であってもよいし、複数種類の中から何れかを選択できる構成であってもよい。デューティ比を複数種類の中から選択可能な構成の具体例として、次のような例が挙げられる。例えば、デューティ比としてａ％、ｂ％およびｃ％（ただし、ａ＞ｂ＞ｃ）の３種類が設定されている場合、モード切替スイッチ６７を短押しする度に、点灯方式が、連続点灯方式→デューティ比ａ％のパルス状点灯方式→デューティ比ｂ％のパルス状点灯方式→デューティ比ｃ％のパルス状点灯方式→連続点灯方式→・・・、という順にループバックスイッチ方式にて順次切り替わるような構成であってもよい。
【００５４】
（１−２）取付ユニット３の構成
取付ユニット３の具体的な構成について、図１〜図３に加えて図４〜図７も用いて説明する。
【００５５】
取付ユニット３を構成する取付部１０は、全体として溝形状（換言すれば、Ｕ字状）に構成されている。即ち、取付部１０は、溝形状を構成する、底壁部及びその底壁部から垂直且つ互いに対向するように立設される２つの側壁部のうち、底壁部に相当するバッテリ支持部１１と、２つの側壁部に相当する上腕部１２及び下腕部１３を備える。
【００５６】
バッテリパック７は、取付ユニット３における、取付部１０を構成するバッテリ支持部１１に対して着脱可能に構成されている。バッテリパック７が取付ユニット３に装着されると、図１〜図３に示すように、バッテリパック７の大部分が、溝形状の取付部１０における溝内の空間であるバッテリ収容空間１４内に配置された状態となる。
【００５７】
上腕部１２の先端側（バッテリ支持部１１側とは反対側）の端面である上腕端面２５と、下腕部１３の先端側の端面である下腕端面２６とは、同一平面上に位置する関係にある。そして、図３及び図７に示すように、上腕端面２５には吸着部材１５が設けられ、下腕端面２６には吸着部材１６が設けられている。各吸着部材１５，１６はいずれも、磁石であり、より詳しくはいずれも永久磁石である。各吸着部材１５，１６は、略円板状の形状である。
【００５８】
上腕部１２の吸着部材１５は、上腕部１２の内部において、不図示の固定プレートによって支持されている。固定プレートは、例えば、金属製の略長方形状の板金である。固定プレートの寸法は、例えば、短辺が、吸着部材１５における略円形の面の直径とほぼ同じであり、長辺が、吸着部材１５における略円形の面の直径よりも長い。
【００５９】
上腕部１２には、吸着部材１５が収容される略円筒状の吸着収容部２７、及び固定プレートが収容される略直方体状のプレート収容部２８が形成されている。なお、吸着収容部２７及びプレート収容部２８の具体的構成については、後で図９〜図１１を用いて補足説明する。
【００６０】
プレート収容部２８に収容される固定プレートは、板面が、吸着部材１５における円形の両面のうち外部に露出する面とは反対側の上腕部１２内部側の面と対向するように配置されている。そして、吸着部材１５におけるその内部側の面が固定プレートに固定されている。固定プレートに対する吸着部材１５の固定方法は種々考えられ、例えば接着剤によって接着固定してもよい。
【００６１】
下腕部１３の吸着部材１６も、上腕部１２の吸着部材１５と全く同じように、不図示の固定プレートによって支持されている。即ち、下腕部１３にも、吸着部材１６が収容される吸着収容部２７、及び固定プレートが収容されるプレート収容部２８が形成されている。
【００６２】
上腕端面２５に設けられる吸着部材１５は、円板状の形状における一方の板面が、上腕端面２５と同一平面上に位置するよう、且つ外部に露出した状態となるように設けられている。下腕端面２６に設けられる吸着部材１６も、円板状の形状における一方の板面が、下腕端面２６と同一平面上に位置するよう、且つ外部に露出した状態となるように設けられている。
【００６３】
このような構成により、取付ユニット３は、図１及び図２に示すように、取付対象面２に対し、各吸着部材１５，１６の磁力によって吸着させて取り付けることができる。
溝形状の取付部１０を構成するバッテリ支持部１１における、溝内のバッテリ収容空間１４側に面する面側には、図５及び図７に示すように、バッテリ装着部１７及び端子台２０が設けられている。
【００６４】
ここで、取付ユニット３に対し、対向面及び水平面を規定する。対向面は、取付ユニット３が図１に示すように取付対象面２に取り付けられた状態のときに取付対象面２と平行になる面である。換言すれば、上腕部１２の上腕端面２５及び下腕部１３の下腕端面２６と平行な面が、対向面である。水平面は、取付ユニット３が取付対象面２に取り付けられた状態のときに取付対象面２と垂直になる面であって、且つ電気機器５が機器支持部３０に装着された状態で電気機器５の高さ方向と垂直になる面である。よって、機器支持部３０の上面、即ち電気機器５が載置される機器載置面３１と平行な面が、水平面である。
【００６５】
このように対向面及び水平面を規定したとき、バッテリパック７は、取付ユニット３に対し、対向面及び水平面の双方に平行な方向へスライドさせることによって、バッテリ装着部１７に着脱可能である。換言すれば、バッテリパック７は、溝形状の取付部１０における溝内において、溝に沿うようにスライドさせることによって、バッテリ装着部１７に着脱可能である。
【００６６】
また、取付ユニット３のうち特に取付部１０は、図１及び図２に示すように、バッテリ装着部１７にバッテリパック７が装着された状態であって且つ取付ユニット３が取付対象面２に取り付けられた状態において、バッテリパック７が取付対象面２側に直接露出し、且つその直接露出する露出面の少なくとも一部が取付対象面２と略同一面となるように構成されている。
【００６７】
図１及び図２は、バッテリパック７における取付対象面２側に露出している（即ち取付対象面２と対向している）対向面の大部分が、取付対象面２と面接触するか、若しくは取付対象面２との面間隔が非常に近くなっている状態を示している。
【００６８】
なお、取付ユニット３を取付対象面２に取り付ける場合、取付ユニット３の上腕端面２５及び下腕端面２６はそれぞれ取付対象面２における任意の位置に配置できる。ただし、電気機器５及びバッテリパック７が装着された状態で取付対象面２に取り付けて電気機器５を使用する際は、基本的には、図１及び図２に示すように、水平面が鉛直方向と垂直になるよう、即ち電気機器５の高さ方向が鉛直方向と平行になるように取り付ける。以下、このように取り付けられている状態を、「標準取付状態」とも称する。
【００６９】
取付ユニット３が取付対象面２に対して標準取付状態で取り付けられている場合、取付部１０の上腕部１２と下腕部１３は、互いに上下方向（鉛直方向）に対向した状態となり、上腕部１２が下腕部１３の真上に配置された状態となる。つまり、標準取付状態においては、バッテリ収容空間１４、バッテリ装着部１７及び端子台２０は、上腕部１２によって上部から覆われた状態となる。
【００７０】
端子台２０は、バッテリパック７内のバッテリ７１の電力（以下、「バッテリ電力」）を受電するために設けられている。端子台２０は、図５及び図７に示すように、正極接続端子２１と、負極接続端子２２とを備える。端子台２０は、バッテリパック７がバッテリ装着部１７に装着されたときに、バッテリパック７と電気的に接続されてバッテリ電力を受電可能な状態となる。
【００７１】
ここで、バッテリパック７の具体的構成について、図８を用いて説明する。図８に示すように、バッテリパック７は、箱型のパック筐体７０を備えている。このパック筐体７０の内部には、バッテリ７１が収容されている。バッテリ７１の定格電圧は、本実施形態では例えば１０．８Ｖである。また、パック筐体７０の一側面には、残量表示部７３が設けられている。
【００７２】
ここで、本実施形態のバッテリ７１の具体的構成等について説明する。バッテリ７１は、定格電圧が１０．８Ｖ、定格容量が４Ａｈである。より具体的に、バッテリ７１は、定格電圧３．６Ｖで定格容量２Ａｈのバッテリセルが３つ直列されてなる直列接続体が、２つ並列に接続されて構成されている。なお、本実施形態の各バッテリセルは、例えばリチウムイオンバッテリである。
【００７３】
尚、パック筐体７０の内部には、バッテリ７１の他に、バッテリ７１の温度を検出する温度検出素子、バッテリ７１に対する充放電を制御するマイクロコンピュータ等が収容されている。マイクロコンピュータは、バッテリ７１の残量を検出し、その検出結果に応じて残量表示部７３を動作させることが可能に構成されている。バッテリパック７の使用者は、残量表示部７３の表示状態を確認することで、バッテリ７１の残量がどの程度であるかを知ることができる。
【００７４】
パック筐体７０の一面には、一方向に長さを有する２つのスライダ片７２が間隔を空けて平行に配置されている。バッテリパック７を取付ユニット３のバッテリ装着部１７に装着する際には、この２つのスライダ片７２を、バッテリ装着部１７が有するスライドレール上をスライドさせることで、バッテリパック７をスライドさせる。これにより、バッテリパック７が、図１及び図２に示すように所定の装着完了位置まで案内される。
【００７５】
２つのスライダ片７２の間には、正極用スリット７４、負極用スリット７５及び信号用スリット７６が形成されている。各スリット７４，７５，７６は、２つのスライダ片７２の長手方向と同じ方向に長さを有し、バッテリパック７をバッテリ装着部１７に装着する際におけるバッテリパック７のスライド方向の先端側が開いた形状となっている。
【００７６】
正極用スリット７４の内部には、正極端子７７が配置されている。正極端子７７は、バッテリパック７内においてバッテリ７１の正極と接続される。負極用スリット７５の内部には、負極端子７８が配置されている。負極端子７８は、バッテリパック７内においてバッテリ７１の負極と接続される。信号用スリット７６の内部には、不図示の温度信号端子が配置されている。なお、信号用スリット７６および温度信号端子は備えられていなくてもよい。
【００７７】
このように構成されたバッテリパック７を、取付ユニット３のバッテリ装着部１７に対して装着完了位置までスライドさせることによって装着すると、バッテリパック７と端子台２０とが電気的に接続された状態となる。即ち、端子台２０の正極接続端子２１が、バッテリパック７の正極用スリット７４内に挿入して、バッテリパック７の正極端子７７と接続された状態となる。また、端子台２０の負極接続端子２２が、バッテリパック７の負極用スリット７５内に挿入して、バッテリパック７の負極端子７８と接続された状態となる。
【００７８】
なお、バッテリパック７のバッテリ７１は、繰り返し充電可能な二次電池である。バッテリパック７を不図示の充電装置に装着することで、バッテリ７１を充電することができる。
【００７９】
取付ユニット３には、図１〜図７に示すように、給電コード５６が設けられている。給電コード５６は、可撓性の電気コードであり、図１、図４、図６に示すように、取付ユニット３のうち機器支持部３０の側面に形成された第２挿通孔４５から引き出されるように設けられている。給電コード５６の先端には、ＤＣプラグ５５が接続されている。
【００８０】
端子台２０から入力されるバッテリ電力は、取付ユニット３の内部に収容された内部給電回路及び給電コード５６を経てＤＣプラグ５５へ通電されるよう構成されている。本実施形態の電気機器５は、ＤＣプラグ５５を挿抜可能なＤＣジャック６４（図１３参照）を備えている。
【００８１】
図１〜図３は、電気機器５のＤＣジャック６４にＤＣプラグ５５が挿入されて両者が電気的に接続された状態を示している。取付ユニット３のバッテリ装着部１７にバッテリパック７を装着し、ＤＣプラグ５５を電気機器５のＤＣジャック６４に挿入することで、バッテリ電力を、端子台２０、取付ユニット３内の内部給電回路、給電コード５６、及びＤＣプラグ５５を介して、電気機器５へ供給可能となり、これにより電気機器５をバッテリ電力にて動作させることが可能となる。
【００８２】
次に、取付ユニット３に対する電気機器５の着脱について、具体的に説明する。図１、図４〜図６に示すように、取付ユニット３の機器支持部３０には、支持ネジ取付部３２が設けられている。この支持ネジ取付部３２の上面は、機器載置面３１の一部を構成する。支持ネジ取付部３２は、つまみネジ３５を配置するためのつまみネジ配置空間３３を有する。このつまみネジ配置空間３３に、つまみネジ３５が配置される。
【００８３】
つまみネジ３５は、図４〜図６に示すように、ネジ部３６を備える。ネジ部３６は、つまみネジ３５がつまみネジ配置空間３３に配置された状態において、支持ネジ取付部３２の上面（即ち、機器載置面３１の一部）に形成されたネジ貫通穴３４を介して、機器載置面３１の上方へ突出している。
【００８４】
一方、電気機器５の底面には、つまみネジ３５のネジ部３６を螺入させることが可能なネジ穴６３（図１参照）が設けられている。取付ユニット３の機器載置面３１に対し、電気機器５を、つまみネジ３５のネジ部３６と電気機器５のネジ穴６３とが同軸となるような位置関係で載置し、つまみネジ３５を回転させることで、つまみネジ３５のネジ部３６を電気機器５のネジ穴６３に螺入させていくことができる。ネジ部３６の螺入が進むと、電気機器５の底面が機器載置面３１に近付いていき、やがて両者が面接触する。
【００８５】
取付ユニット３に対する電気機器５の装着は、つまみネジ３５のネジ部３６を電気機器５のネジ穴６３に螺入させることによって実現される。つまみネジ３５のネジ部３６が電気機器５のネジ穴６３に一定量以上螺入されて電気機器５が取付ユニット３から容易には脱落しないような状態になっている場合は、電気機器５が取付ユニット３に装着された状態とみなせる。
【００８６】
ネジ部３６を深く螺入させて電気機器５の底面と機器載置面３１とを接触させることで、機器載置面３１に対して電気機器５を容易に回転しないよう固定することができる。一方、電気機器５の底面と機器載置面３１との接触圧力を弱めるか若しくは両者を離間させることで、機器載置面３１に対して電気機器５を手動で任意の回転位置に回転させることができる。
【００８７】
（１−３）取付ユニット３の内部構成
次に、取付ユニット３の内部構成のうち、特に前述の内部給電回路を構成する部分について、図９〜図１１を用いて説明する。取付ユニット３は、主に、図９に示す第１半割ユニット３ａと図１０に示す第２半割ユニット３ｂとの２つのパーツに分かれて構成されている。
【００８８】
第１半割ユニット３ａは、取付部１０を構成する第１半割取付部１０ａと、機器支持部３０を構成する第１半割支持部３０ａとを備える。第１半割取付部１０ａには、バッテリ装着部１７を構成する第１半割装着部１７ａが形成されている。また、第１半割取付部１０ａには、各吸着収容部２７を構成する各第１半割吸着収容部２７ａと、各プレート収容部２８を構成する各第１半割プレート収容部２８ａとが形成されている。第１半割支持部３０ａには、支持ネジ取付部３２を構成する第１半割ネジ取付部３２ａと、ネジ貫通穴３４を構成する第１半割貫通穴３４ａとが形成されている。
【００８９】
第２半割ユニット３ｂも同様に、取付部１０を構成する第２半割取付部１０ｂと、機器支持部３０を構成する第２半割支持部３０ｂとを備える。第２半割取付部１０ｂには、バッテリ装着部１７を構成する第２半割装着部１７ｂが形成されている。また、第２半割取付部１０ｂには、各吸着収容部２７を構成する各第２半割吸着収容部２７ｂと、各プレート収容部２８を構成する各第２半割プレート収容部２８ｂとが形成されている。第２半割支持部３０ｂには、支持ネジ取付部３２を構成する第２半割ネジ取付部３２ｂと、ネジ貫通穴３４を構成する第２半割貫通穴３４ｂとが形成されている。
【００９０】
各半割ユニット３ａ，３ｂを組み付けることによって、取付ユニット３の筐体が形成される。
第１半割吸着収容部２７ａと第２半割吸着収容部２７ｂとが組み合わさることによって、略円筒状の吸着収容部２７が形成される。また、第１半割プレート収容部２８ａと第２半割プレート収容部２８ｂとが組み合わさることによって、略直方体状のプレート収容部２８が形成される。各吸着収容部２７の、各端面２５，２６に垂直な方向の長さＤｍは、各吸着部材１５，１６の厚さと略同じ長さになるように構成されている。つまり、各吸着収容部２７には、厚さが略Ｄｍの吸着部材１５，１６が収容される。
【００９１】
各吸着部材１５，１６を固定する不図示の各固定プレートは、例えば、各半割ユニット３ａ，３ｂを組み付ける前の段階で、第１半割プレート収容部２８ａ及び第２半割プレート収容部２８ｂのうちいずれか一方に差し込まれる。その際、固定プレートは長辺方向に差し込まれる。つまり、固定プレートは、長辺が、電気機器５の高さ方向に垂直となるように配置される。そして、固定プレートが差し込まれた状態で各半割ユニット３ａ，３ｂを組み付けることで、固定プレートは、各半割ユニット３ａ，３ｂによって長辺方向に挟み込まれた状態で固定される。
【００９２】
なお、図９に示す第１半割ユニット３ａは、端子台２０が取り付けられているもののそれ以外の電気的構成はまだ取り付けられていない状態を示している。一方、図１１に示す第１半割ユニット３ａは、端子台２０に加え、端子台２０で受電したバッテリ電力をＤＣプラグ５５から他の機器へ供給するための、当該ＤＣプラグ５５を含む電気的構成が搭載されている状態を示している。
【００９３】
図９に示すように、第１半割ユニット３ａには、第１半割収容空間４０ａが設けられている。一方、第２半割ユニット３ｂには、第１半割収容空間４０ａと対向する位置に、第２半割収容空間４０ｂが設けられている。
【００９４】
第１半割ユニット３ａと第２半割ユニット３ｂを組み付けると、第１半割ユニット３ａの第１合わせ面４１ａと第２半割ユニット３ｂの第２合わせ面４１ｂとが面接触あるいはそれに近い状態となる。これにより、第１半割収容空間４０ａと第２半割収容空間４０ｂとが繋がった１つの収容空間が形成される。
【００９５】
この収容空間は、取付ユニット３において、機器支持部３０の内部に位置する空間である。この収容空間は、図１１に示すように、内部給電回路を構成する回路基板である支持部基板５１を収容するための空間である。
【００９６】
第１半割ユニット３ａの第１合わせ面４１ａには、図９に示すように、第１半割収容空間４０ａの開口を囲むようにＯリング溝４２が形成されている。このＯリング溝４２には、図１１に示すようにＯリング４３が嵌め込まれる。このＯリング４３により、第１半割ユニット３ａと第２半割ユニット３ｂとが組み付けられた場合に、両者の合わせ面４１ａ，４１ｂから各収容空間４０ａ、４０ｂに水や埃等の異物が浸入することが抑制される。
【００９７】
第１半割ユニット３ａの第１半割収容空間４０ａを構成する内壁には、第１半割収容空間４０ａと取付部１０の内部空間とが連通するように設けられた第１挿通孔４４が形成されている。さらに、第１半割ユニット３ａの第１半割収容空間４０ａを構成する内壁には、第１半割収容空間４０ａと取付ユニット３の外部とが連通するように設けられた第２挿通孔４５が形成されている。
【００９８】
また、第１半割収容空間４０ａを構成する内壁には、第１仕切部４６及び第２仕切部４７が立設されている。第１仕切部４６は、第１挿通孔４４の近傍において、第１挿通孔４４を含む小空間を形成するように設けられている。第２仕切部４７は、第２挿通孔４５の近傍において、第２挿通孔４５を含む小空間を形成するように設けられている。
【００９９】
このように構成された第１半割ユニット３ａに対し、図１１に示すように、支持部基板５１と、各リード線２３，２４と、各電線５７，５８とが敷設される。支持部基板５１は、前述の通り、第１半割収容空間４０ａに配置される。
【０１００】
各リード線２３，２４は、端子台２０の正極接続端子２１及び負極接続端子２２を支持部基板５１に電気的に接続する。即ち、各リード線２３、２４のうち、正極リード線２３は、第一端が端子台２０の正極接続端子２１に接続され、第二端が支持部基板５１に接続されている。また、各リード線２３、２４のうち、負極リード線２４は、第一端が端子台２０の負極接続端子２２に接続され、第二端が支持部基板５１に接続されている。各リード線２３，２４は、第１挿通孔４４に挿通されて敷設される。
【０１０１】
各電線５７，５８は、ＤＣプラグ５５を支持部基板５１に電気的に接続する。即ち、各電線５７、５８のうち、正極電線５７は、第一端がＤＣプラグ５５のプラグ正極端子５５ａ（図１２参照）に接続され、第二端が支持部基板５１に接続されている。また、負極電線５８は、第一端がＤＣプラグ５５のプラグ負極端子５５ｂ（図１２参照）に接続され、第二端が支持部基板５１に接続されている。各電線５７，５８は、第２挿通孔４５に挿通されて敷設される。
【０１０２】
各電線５７，５８は、取付ユニット３の内部空間においては、各々が露出された状態で敷設されるが、第２挿通孔４５から外部においては、両者がまとめて被覆された１つの給電コード５６として引き出される。
【０１０３】
第１挿通孔４４へ各リード線２３，２４が挿通されて各リード線２３，２４が所定の状態に敷設されると、第１仕切部４６によって形成される、第１挿通孔４４を含む小空間には、図１１に示すように、シール材４８が充填される。このシール材４８によるシール処理により、第１挿通孔４４から収容空間内への異物の浸入が抑制される。
【０１０４】
また、第２挿通孔４５へ各電線５７，５８が挿通されて各電線５７，５８が所定の状態に敷設されると、第２仕切部４７によって形成される、第２挿通孔４５を含む小空間には、図１１に示すように、シール材４９が充填される。このシール材４９によるシール処理により、第２挿通孔４５から収容空間内への異物の浸入が抑制される。
【０１０５】
このような構成により、バッテリ装着部１７にバッテリパック７が装着されると、バッテリ電力は、端子台２０，各リード線２３，２４、支持部基板５１、各電線５７，５８（即ち給電コード５６）、及びＤＣプラグ５５を介して、ＤＣプラグ５５を接続可能な他の電気機器へ供給可能となる。
【０１０６】
各電線５７，５８は、取付ユニット３の内部において、機器支持部３０の機器載置面３１の直下まで敷設されている。そして、機器支持部３０の側面に形成された第２挿通孔４５から、給電コード５６として外部へ引き出されている。つまり、給電コード５６は、電気機器５が機器載置面３１に載置された場合に、電気機器５の直下から引き出された状態となるように敷設されている。しかも、給電コード５６が引き出される第２挿通孔４５は、機器載置面３１に電気機器５が標準取付状態で載置されている状態において、電気機器５のＤＣジャック６４が配置される側面側と同じ側面側に形成されている。
【０１０７】
図１２に、取付ユニット３に搭載されている、端子台２０から支持部基板５１及び給電コード５６を経てＤＣプラグ５５に至る回路を、概略的に示す。なお、図１２の回路図は、バッテリ装着部１７にバッテリパック７が装着された状態、即ち、バッテリ７１の正極端子７７及び負極端子７８と端子台２０の各接続端子２１，２２とが電気的に接続されている状態を示している。
【０１０８】
支持部基板５１は、給電遮断スイッチ５２と、過放電保護部５３とを備える。給電遮断スイッチ５２は、端子台２０の正極接続端子２１とＤＣプラグ５５のプラグ正極端子５５ａとの間の通電経路上に設けられ、この通電経路を導通、遮断可能に構成されている。給電遮断スイッチ５２は、例えば、ＭＯＳＦＥＴである。
【０１０９】
過放電保護部５３は、端子台２０から入力されるバッテリ７１の電圧値（以下、「バッテリ電圧値」と称する）を検出する。そして、検出したバッテリ電圧値が過放電閾値以上の場合は給電遮断スイッチ５２をオンさせて通電経路を導通させる。一方、検出したバッテリ電圧値が過放電閾値より低い場合は、給電遮断スイッチ５２をオフさせて通電経路を遮断させることにより、バッテリ電力がＤＣプラグ５５から外部へ供給されるのを抑制する。
【０１１０】
なお、過放電閾値は適宜決めることができる。本実施形態では、バッテリ電圧の定格値が例えば１０．８Ｖであるため、過放電閾値は、例えば７．５Ｖに設定されている。よって、本実施形態では、バッテリ電圧が７．５Ｖ以上であればバッテリ電力をＤＣプラグ５５から外部へ供給可能であるが、バッテリ電圧が７．５Ｖより低い場合は、バッテリ電力がＤＣプラグ５５から供給されなくなる。
【０１１１】
（１−４）電気機器５の電気的構成
次に、電気機器５の電気的構成のうち、特に、電気機器５の内部に設けられている回路基板である本体基板８１の特徴的構成について、図１３を用いて説明する。
【０１１２】
電気機器５は、図１３に示すように、ＤＣジャック６４と、本体基板８１と、電源スイッチ６６と、モード切替スイッチ６７と、残量表示部６８と、レーザーユニット８７とを備える。
【０１１３】
レーザーユニット８７は、図１に示した垂直射出部６１及び水平射出部６２を含む。即ち、レーザーユニット８７は、垂直レーザー光を生成するレーザー光源と、水平レーザー光を生成するレーザー光源とを含む。電源スイッチ６６、モード切替スイッチ６７及び残量表示部６８は、図２にも示されたものである。
【０１１４】
本体基板８１は、第１電源部８２と、第２電源部８３と、制御部８６とを備える。制御部８６は、電源スイッチ６６及びモード切替スイッチ６７の操作状態に応じて電気機器５の動作を制御する。制御部８６の主な制御対象の１つは、レーザーユニット８７である。
【０１１５】
また、制御部８６は、ＤＣジャック６４から入力される電圧に基づき、ＤＣジャック６４から入力される電力の電力源の電力残量を検出する。そして、その電力残量の検出結果に応じて、残量表示部６８を制御する。
【０１１６】
第１電源部８２は、ＤＣジャック６４から入力される入力電圧に基づいて直流の所定電圧値の第１電源電圧ＶＤＤを生成し出力する。第１電源部８２は、第１電源電圧ＶＤＤの値を、異なる複数種類の値の何れかに設定できるよう構成されている。本実施形態では、第１電源部８２は、例えば、第１電源電圧ＶＤＤの電圧値を、３Ｖ又は８Ｖの何れかに設定できる。
【０１１７】
第２電源部８３は、入力電圧に基づいて直流の所定電圧値の第２電源電圧ＶＣＣを生成し出力する。本実施形態の第２電源部８３は、第２電源電圧ＶＣＣの電圧値が例えば３Ｖに設定されている。
【０１１８】
本体基板８１は、第１電源部８２の出力端子と第２電源部８３の入力端子とを接続する第１通電経路８８に対し、第１抵抗８４を接続可能に構成されている。また、本体基板８１は、第１電源部８２の出力端子と第２電源部８３の出力端子とを接続する第２通電経路８９に対し、第２抵抗８５を接続可能に構成されている。
【０１１９】
本体基板８１は、各抵抗８４，８５のうち何れか一方を選択的に実装することができるよう構成されている。第１抵抗８４が実装されていない場合は、第１通電経路８８が遮断された状態となり、第２電源部８３には第１電源部８２からの第１電源電圧ＶＤＤは入力されず、第２電源部８３からは第２電源電圧ＶＣＣは出力されない。ただしこの場合、第２抵抗８５を実装することで、第１電源部８２からの第１電源電圧ＶＤＤを、第２抵抗８５を介して、第２電源電圧ＶＣＣとしても用いることができる。
【０１２０】
ここで、本実施形態の電気機器５においては、レーザーユニット８７の電源、即ちレーザー光源を動作させて各レーザー光を生成させるための電源として、第１電源電圧ＶＤＤが用いられる。一方、制御部８６の動作用電源としては、第２電源電圧ＶＣＣが用いられる。
【０１２１】
制御部８６は、本実施形態では、３Ｖの電源電圧にて動作するよう構成されている。一方、レーザーユニット８７については、どのような色のレーザー光を生成するよう構成されているかによって、必要な電源電圧の値が異なる。
【０１２２】
例えば、レーザーユニット８７が、赤色のレーザー光を生成するよう構成されている場合（以下、「赤色仕様」とも称する）は、例えば３Ｖの電源電圧が必要である。一方、レーザーユニット８７が、例えば緑色のレーザー光を生成するよう構成されている場合（以下、「緑色仕様」と称する）は、例えば８Ｖの電源電圧が必要である。
【０１２３】
このように、電気機器５が赤色仕様か緑色仕様かによって、レーザーユニット８７へ供給すべき第１電源電圧ＶＤＤの値が異なる。この場合、異なる仕様毎に、当該仕様専用の本体基板８１を提供することは可能である。しかし、仕様毎に本体基板８１を専用設計するようにすると、本体基板８１のコストアップを招き、延いては電気機器５のコストアップを招く可能性がある。
【０１２４】
これに対し、本実施形態の本体基板８１は、第１抵抗８４及び第２抵抗８５を選択的に実装可能であって、しかも第１電源部８２が生成する第１電源電圧ＶＤＤの値を異なる複数の値（本実施形態では例えば３Ｖ及び８Ｖ）の何れかに設定可能に構成されている。これにより、本実施形態の本体基板８１は、赤色仕様及び緑色仕様のいずれに対しても共通して用いることができる。
【０１２５】
具体的に、例えば緑色仕様の電気機器５に本体基板８１を搭載する場合は、第１電源部８２に対し、生成する第１電源電圧ＶＤＤの値を８Ｖに設定する。さらに、第１抵抗８４及び第２抵抗８５のうち第１抵抗８４のみ実装して第２抵抗８５は実装しない。これにより、第１電源部８２によってレーザーユニット８７駆動用の８Ｖの第１電源電圧ＶＤＤが生成され、且つ第２電源部８３によって３Ｖの第２電源電圧ＶＣＣが生成される構成の本体基板８１を実現できる。
【０１２６】
一方、例えば赤色仕様の電気機器５に本体基板８１を搭載する場合は、第１電源部８２に対し、生成する第１電源電圧ＶＤＤの値を３Ｖに設定する。さらに、第１抵抗８４及び第２抵抗８５のうち第２抵抗８５のみ実装して第１抵抗８４は実装しない。これにより、第１電源部８２によってレーザーユニット８７駆動用の３Ｖの第１電源電圧ＶＤＤが生成され、且つ第１電源電圧ＶＤＤが第２抵抗８５を経て第２電源電圧ＶＣＣとしても用いられる構成の本体基板８１を実現できる。
【０１２７】
また、電気機器５のＤＣジャック６４は、取付ユニット３のＤＣプラグ５５を接続可能であるのに加え、取付ユニット３以外の他の電源が有するＤＣプラグを接続することもできる。
【０１２８】
本実施形態では、一例として、乾電池アダプタとＵＳＢアダプタとを、電気機器５の電源として用いることができる。乾電池アダプタは、複数の乾電池の電力をＤＣプラグを介して供給できるように構成されている。ＵＳＢアダプタは、ＵＳＢ（Universal Serial Bus）規格に準拠した各種機器のＵＳＢ端子から出力されるＵＳＢバス電力をＤＣプラグを介して供給できるように構成されている。
【０１２９】
乾電池アダプタは、例えば、前述の過放電閾値よりも低い値の電圧を出力可能に構成されたものである。過放電閾値は、本実施形態では例えば７．５Ｖである。そのため、乾電池アダプタは、７．５Ｖより低い電圧を出力するように構成されている。本実施形態では、乾電池アダプタは、一例として、４本の乾電池が直列接続された構成であり、定格６Ｖの電圧をＤＣプラグから出力可能に構成されているものとする。また、ＵＳＢアダプタについては、本実施形態では、一例として、５Ｖの電圧をＤＣプラグから出力可能に構成されているものとする。
【０１３０】
ＤＣジャック６４に入力される電源がバッテリパック７又は乾電池アダプタの場合は、電池容量の変化に応じて入力電圧が変動する。ＤＣジャック６４に入力される電源がＵＳＢアダプタの場合は、いわゆる蓄電池から電力が供給されるわけではないため、供給元のＵＳＢ機器が正常である限り、入力電圧は基本的には定格値（本実施形態では５Ｖ）一定となる。
【０１３１】
よって、ＤＣジャック６４にバッテリパック７からバッテリ７１のバッテリ電圧が入力されている場合は、入力電圧の値は、例えば７．５Ｖ〜約１２Ｖの範囲内で変動し得る。一方、ＤＣジャック６４に乾電池アダプタから電圧が入力されている場合は、入力電圧の値は、例えば６Ｖ以下の範囲内で変動し得る。
【０１３２】
そこで、電気機器５の制御部８６は、バッテリパック７及び乾電池アダプタのどちらが接続されていても、その接続されている電源に応じて残量を適切に検出し、その検出結果を残量表示部６８に表示させるよう構成されている。
【０１３３】
具体的に、電気機器５の制御部８６は、ＤＣジャック６４から電力が入力されて起動すると、その入力電圧の値に基づいて、バッテリパック７或いはそれ同等の出力電圧値の電源から電圧が入力されているのか、それとも、乾電池アダプタあるいはそれ同等の出力電圧値の電源から電圧が入力されているのかを判断する。
【０１３４】
本実施形態では、一例として、バッテリパック７から供給される電圧は７．５Ｖ以上であり、乾電池アダプタから供給される電圧は６Ｖ以下である。そのため、制御部８６においては、例えば、６Ｖより大きく且つ７．５Ｖより低い範囲内で閾値が設定されている。そして、制御部８６は、入力電圧と閾値とを比較することによって、バッテリパック７から電力供給されているのかそれとも乾電池アダプタから電力供給されているのかを判断する。
【０１３５】
そして、バッテリパック７から電力供給されていると判断した場合は、入力電圧が例えば７．５Ｖ〜約１２Ｖの範囲内で変動し得ることに基づき、入力電圧の値に基づいてバッテリパック７のバッテリ７１の残量を判断する。そして、その判断結果に応じて残量表示部６８を動作させる。具体例として、例えば、１０Ｖ以上の場合はバッテリ７１の残量が十分あるものとして、残量表示部６８が有する複数の表示灯を全て点灯させ、９Ｖ以上１０Ｖ未満の場合は残量が中程度であるとして点灯させる表示灯を一つ減らし、９Ｖ未満の場合は残量が少ないものとして点灯させる表示灯をさらに一つ減らす、という動作例が挙げられる。
【０１３６】
なお、残量用表示部６８が複数の表示灯を備えている場合、各表示灯の色は全て同じでもよいし、一部が他と異なる色であってもよいし、全てがそれぞれ異なる色であってもよい。例えば、赤色の表示灯と緑色の表示灯を備え、残量が中程度以上ある場合は緑色の表示灯を点灯させ、残量が少ない場合は赤色の表示灯を点灯させるようにしてもよい。また、例えば、複数色を切り替えて点灯可能な１つの表示等を備え、例えば残量が中程度以上の場合は緑色で点灯させて残量が少ない場合は赤色で点灯させるなど、残量に応じて異なる色を点灯させるようにしてもよい。
【０１３７】
一方、乾電池アダプタから電力供給されていると判断した場合は、入力電圧が例えば６Ｖ以下の範囲内で変動し得ることに基づき、入力電圧の値に基づいて乾電池の残量を判断する。そして、その判断結果に応じて残量表示部６８を動作させる。具体例として、例えば、５Ｖ以上の場合は乾電池の残量が十分あるものとして、残量表示部６８が有する複数の表示灯を全て点灯させ、４Ｖ以上５Ｖ未満の場合は残量が中程度であるとして点灯させる表示灯を一つ減らし、４Ｖ未満の場合は残量が少ないものとして点灯させる表示灯をさらに一つ減らす、という動作例が挙げられる。なお、前述同様、残量に応じて異なる色が点灯されるような構成であってもよい。
【０１３８】
なお、ＵＳＢアダプタから電力が入力されている場合は、本実施形態では５Ｖの電圧値が入力されることになる。そのため、制御部８６は、乾電池アダプタ或いはそれ同等の出力電圧値の電源から電圧が入力されているものと判断し、乾電池アダプタの場合と同様に、入力電圧の値に基づいて残量表示部６８を動作させる。
【０１３９】
（１−５）実施形態の効果
以上説明した実施形態によれば、以下の（１ａ）〜（１ｇ）の効果を奏する。
（１ａ）本実施形態では、電気機器５及びバッテリパック７を、取付ユニット３を介して、吸着部材１５，１６の吸着力によって取付対象面２に取り付けることができる。特に、バッテリパック７については、電気機器５に直接装着する必要はなく、取付ユニット３に対して装着するように構成されている。そして、バッテリパック７のバッテリ電力は、取付ユニット３が有するＤＣプラグ５５から、電気機器５へ供給される。
【０１４０】
このように、バッテリパック７を電気機器５に直接装着するのではなく取付ユニット３に装着するよう構成されていることで、電気機器５及びバッテリパック７が装着されたフル装着状態の取付ユニット３が取付対象面２に取り付けられた状態における、そのフル装着状態の取付ユニット３全体の重心を、取付対象面２側に近付けることが可能となる。
【０１４１】
したがって、本実施形態によれば、フル装着状態の取付ユニット３を取付対象面２に取り付けた場合に、その取付対象面２に取り付けられた状態を良好に維持させることが可能となる。
【０１４２】
（１ｂ）本実施形態では、各吸着部材１５，１６として、磁石が用いられている。一方、取付対象面２は、磁石との間で相互に引きつけ合う方向の磁力が発生するような磁性体を有する。そのため、取付対象面２に対して取付ユニット３を容易に取り付けることができる。
【０１４３】
（１ｃ）バッテリ装着部１７にバッテリパック７が装着された状態で取付ユニット３を取付対象面２に取り付けた場合、バッテリパック７は、取付対象面２側に直接露出し、且つその直接露出する露出面の少なくとも一部が取付対象面２と略同一面となる。
【０１４４】
そのため、フル装着状態の取付ユニット３を取付対象面２に取り付けたとき、そのフル装着状態の取付ユニット３全体の重心を、取付対象面２側により近付けることができる。
（１ｄ）バッテリパック７は、バッテリ装着部１７に対し、対向面及び水平面の双方と平行な方向、換言すれば溝形状の取付部１０における溝方向へ、スライドさせることによって着脱可能である。
【０１４５】
そのため、取付ユニット３が取付対象面２に取り付けられていない状態及び取り付けられている状態のいずれにおいても、取付ユニット３に対するバッテリパック７の着脱を安定的且つ容易に行うことができる。
【０１４６】
（１ｅ）また、本実施形態のバッテリパック７は、上記スライド方向の一端面に、残量表示部７３が設けられている。そのため、バッテリパック７がバッテリ装着部１７に装着された状態で、バッテリパック７の残量表示部７３を良好に視認することができる。
【０１４７】
（１ｆ）取付ユニット３は、取付対象面２に対して標準取付状態で取り付けた場合、図１に示すように、バッテリ収容空間１４が上腕部１２によって覆われた状態となる。そのため、フル装着状態の取付ユニット３を取付対象面２に取り付けて電気機器５を使用する際、取付ユニット３の上方から粉塵や水滴などの異物が落ちてきたとしても、バッテリパック７における少なくとも上腕部１２で覆われた領域をその異物から保護することができる。
【０１４８】
また、バッテリパック７が取り外された状態で取付ユニット３が取付対象面２に取り付けられている場合、バッテリ装着部１７及び端子台２０が外部に露出した状態となるが、この場合も、上腕部１２によって、上方から落ちてくる異物からバッテリ装着部１７及び端子台２０を保護することができる。
【０１４９】
（１ｇ）取付ユニット３は、可撓性の給電コード５６と、ＤＣプラグ５５とを備えており、ＤＣプラグ５５を電気機器５のＤＣジャック６４に挿入することで、バッテリパック７のバッテリ電力を電気機器５へ供給することができる。そのため、電気機器５に対する、取付ユニット３を介したバッテリ電力の供給を、容易に実現することができる。
【０１５０】
なお、本実施形態では、バッテリ電力を電気機器５へ供給するための、端子台２０から各リード線２３，２４、支持部基板５１、給電コード５６を経てＤＣプラグ５５に至る構成が、機器給電部の一例に相当する。また、上腕部１２は上覆部の一例に相当する。また、取付ユニット３を構成する取付部１０は、溝形状の取付部材の一例に相当し、取付部１０のうち特にバッテリ支持部１１が底壁部の一例に相当し、取付部１０のうち特に上腕部１２及び下腕部１３が側壁部の一例に相当する。また、給電コード５６は電源コードに相当する。
【０１５１】
［２．他の実施形態］
以上、本開示の実施形態について説明したが、本開示は上述の実施形態に限定されることなく、種々変形して実施することができる。
【０１５２】
（２−１）上記実施形態では、取付ユニット３を構成する溝形状の取付部１０が、その溝内の空間が取付対象面２と対向するように構成されていたが、逆に、図１４に例示するように、溝内の空間が電気機器５と対向するように構成さていてもよい。なお、図１４に示す電気機器ユニット１００において、上記実施形態と同じ符号は、上記実施形態と同一の構成を示すものであって、先行する説明を参照する。後述する図１５の電気機器ユニット１２０についても同様である。
【０１５３】
図１４に示す電気機器ユニット１００は、取付ユニット１０１と、機器支持部１１０とを備える。機器支持部１１０については、基本的には第１実施形態の機器支持部３０と同様の構成である。
【０１５４】
一方、取付部１０２は、全体的な形状自体は上記実施形態の取付部１０と同じ溝形状であるが、取付対象面２に対する取り付け方向が上記実施形態とは逆である。即ち、図１４の取付部１０２は、バッテリ支持部１０３と、上腕部１０４と、下腕部１０５とを備える。一方、上記実施形態の取付部１０は、バッテリ支持部１１の背面（即ち、バッテリ装着部１７が装着される面とは反対側の面）が電気機器５と対向するように構成されていたのに対し、図１４の取付部１０２は、上記実施形態とは逆に、取付対象面２に取り付けた場合にバッテリ支持部１０３の背面が取付対象面２に対向し接触するように構成されている。
【０１５５】
このような構成により、取付ユニット１０１を取付対象面２に吸着させるための吸着部材１０８は、図１４に示すように、バッテリ支持部１０３の背面に複数設けられている。
（２−２）別の例として、図１５に示すように、上腕部の上に電気機器を搭載可能に構成されていてもよい。図１５に示す電気機器ユニット１２０において、取付ユニット１２１は、取付支持部１２２を備える。この取付支持部１２２は、取付対象面２に吸着させて取り付ける機能に加えて、電気機器５を装着する機能をも兼ね備えている。
【０１５６】
取付支持部１２２は、全体として、図１４に示した取付部１０２と同様、溝形状の構成である。即ち、取付支持部１２２は、バッテリ支持部１２３と、上腕部１２４と、下腕部１２５とを備える。そして、図１４と同様、バッテリ支持部１２３の背面が取付対象面２に対向し接触するように構成されている。
【０１５７】
このような構成により、取付ユニット１２１を取付対象面２に吸着させるための吸着部材１０８は、図１４と同様、バッテリ支持部１２３の背面に複数設けられている。
そして、上腕部１２４は、その上面に電気機器５を装着できるよう、機器支持部としての構成も兼ね備えている。このような構成において、第１実施形態と同様に取付ユニット内に支持部基板５１を備えるようにする場合は、例えば、上腕部１２４の内部空間に支持部基板５１を収容するようにしてもよい。
【０１５８】
（２−３）上腕部１２及び下腕部１３に設ける各吸着部材１５，１６形状が略円板状の形状であることはあくまでも一例である。各吸着部材１５，１６として、種々の形状のものを用いてよい。
【０１５９】
また、上記実施形態では、上腕部１２及び下腕部１３にそれぞれ１つずつ吸着部材を設けた例を示したが、上腕部１２及び下腕部１３それぞれ、吸着部材をいくつ、どこに設けるかについては、適宜決めてよい。例えば、上腕部１２及び下腕部１３の少なくとも一方に対して２つ以上の吸着部材を設けてもよい。その場合、上腕部１２及び下腕部１３の吸着部材の数が異なってもよい。
【０１６０】
また、吸着部材の固定方法として、上記実施形態のように固定プレートを用いて固定することはあくまでも一例であり、固定プレートを用いる方法以外の他の方法で吸着部材を固定してもよい。
【０１６１】
（２−４）上記実施形態では、各吸着部材１５，１６が各端面２５，２６から外部に露出した状態で設けられる例を示したが、吸着部材を端面から露出した状態にすることは必須ではい。取付対象面に対する必要な吸着力が確保できれば、吸着部材を露出させず、吸着部材が取付部内に完全に埋め込まれた構成としてもよい。
【０１６２】
例えば上記実施形態の場合、各吸着部材１５，１６が外部に露出するよう、各吸着収容部２７は、各端面２５，２６の一部を開口させた形状となっているが、各端面２５，２６を開口させずに閉じて、各吸着部材１５，１６が各端面２５，２６よりも内部側に位置するように構成してもよい。
【０１６３】
このように吸着部材を外部に露出させずに取付部内に完全に埋め込む構成とすることで、吸着部材を固定する固定プレートは不要となる。また、防塵、防水等の観点でも、吸着部材を露出させる場合に比べて有利となる。
【０１６４】
（２−５）吸着部材として磁石を用いることはあくまでも一例であり、磁石以外の他の吸着部材を用いてもよい。例えば、吸着部材として、吸盤を採用してもよい。
（２−６）複数の吸着部材を用いて取付ユニットを取付対象面に吸着可能な構成の場合、必ずしも、複数の吸着部材全てを同じ種類に統一しなくてもよい。例えば、複数の吸着部材のうちいくつかを磁石とし、他を磁石以外としてもよい。
【０１６５】
（２−７）標準取付状態で取り付けた場合に溝形状の取付部における上腕部及び下腕部が上下方向に対向するように構成することはあくまでも一例である。例えば、標準取付状態で取り付けた場合に、上腕部及び下腕部が、電気機器５の高さ方向と垂直な方向に対向するような構成として、バッテリパックを上下方向にスライドさせて着脱可能な構成としてもよい。
【０１６６】
（２−８）上記実施形態では、取付対象面２に取り付けた場合に、バッテリパック７と取付対象面２とが接触するか若しくは両者の距離が非常に近い位置関係になるよう構成されていたが、取付対象面２に取り付けた場合におけるバッテリパック７と取付対象面２との距離については適宜決めてもよい。
【０１６７】
（２−９）取付ユニットに対するバッテリパックの着脱方向は、適宜決めてよい。例えば、上下方向にスライドさせて着脱する構成であってもよいし、斜め上下方向にスライドさせて着脱する構成であってもよい。また、対向面と垂直な方向、即ち取付対象面２に取り付けた状態で取付対象面２と垂直になる方向へスライドさせて着脱する構成であってもよい。
【０１６８】
（２−１０）取付ユニットにおける、給電コード５６を引き出す位置は、適宜決めてもよい。また、機器給電部として、上記実施形態に示した構成、即ち、端子台２０、各リード線２３，２４，支持部基板５１、給電コード５６及びＤＣプラグ５５を有する構成は、あくまでも一例である。
【０１６９】
例えば、支持部基板５１を設けなくてもよい。また、ＤＣプラグ５５とは別のインタフェースを用いて電気機器へ給電可能な構成としてもよい。具体的に、例えば取付ユニットと電気機器とを相互にＵＳＢ接続できるよう構成し、ＵＳＢ規格に従って取付ユニットから電気機器へ給電できるようにしてもよい。
【０１７０】
また例えば、機器載置面３１の上面に給電端子を設け、電気機器５の底面に受電端子を設け、機器支持部３０に電気機器５が装着されると給電端子と受電端子が電気的に接続されて、給電端子から受電端子を介して電気機器５へバッテリ電力を供給できるようにしてもよい。
【０１７１】
（２−１１）上記実施形態において、上腕部１２及び下腕部１３は、取付対象面２に対してその法線方向へ伸縮可能であってもよい。つまり、バッテリ装着部１７と取付対象面２との距離を変化させることが可能であってもよい。このように構成することで、バッテリ装着部１７に対してサイズが異なる複数種類のバッテリパックを装着可能な場合に、バッテリパックのサイズが異なっても、バッテリパックを取付対象面２に近接或いは接触させることができる。
【０１７２】
取付対象面２に対して伸縮可能に構成された取付ユニットの一例を、図１６〜図２６を用いて説明する。なお、図１６〜図１９に示す取付ユニット１３１は、上記実施形態の取付ユニット３（図１参照）と比較して、主に、上腕部１２及び下腕部１３に対応する部分の構成が異なる。そのため、図１６〜図１９に示す取付ユニット１３１については、基本的に、上記実施形態の取付ユニット３における上腕部１２及び下腕部１３に対応する部分について説明する。
【０１７３】
上記実施形態の取付ユニット３では、取付部１０が上腕部１２及び下腕部１３を備えていたのに対し、図１６〜図１９に示す電気機器取付ユニット１３１では、取付部１３２が、上記実施形態の取付部１０における上腕部１２に代えて、上部収容ハウジング１３４、吸着ハウジング１５０及びスライダ１４０を備える。
【０１７４】
上部収容ハウジング１３４は、バッテリ支持部１３３における上方向の端部から水平面と平行な方向に延設された略直方体の形状の部材である。上部収容ハウジング１３４は、開口部１３４ａと、収容空間１３４ｂと、スライダ装着部１３４ｃとを備える。
【０１７５】
また、図１６〜図１９に示す電気機器取付ユニット１３１では、取付部１３２が、上記実施形態の取付部１０における下腕部１３に代えて、下部収容ハウジング１３５、吸着ハウジング１５０及びスライダ１４０を備える。下部収容ハウジング１３５は、バッテリ支持部１３３における下方向の端部から水平面と平行な方向に延設された略直方体の形状の部材である。下部収容ハウジング１３５は、開口部１３５ａと、収容空間１３５ｂと、スライダ装着部１３５ｃとを備える。
【０１７６】
なお、下部収容ハウジング１３５は、上部収容ハウジング１３４と基本的に同じ構成であって、バッテリ装着部１３３に対して上部収容ハウジング１３４と対称に配置されている。そのため、以下の説明では、上部収容ハウジング１３４の構成について詳しく説明し、下部収容ハウジング１３５については説明を省略する。
【０１７７】
開口部１３４ａは、上部収容ハウジング１３４における取付対象面２と対向する面のほぼ全体が開口されて形成されている。開口部１３４ａの開口面は対向面と平行である。
収容空間１３４ｂは、吸着ハウジング１５０が収容される。吸着ハウジング１５０は、収容空間１３４ｂに収容されつつ、取付ユニット１３１の使用者によるスライダ１４０のスライド操作に応じて、開口部１３４ａから収容空間１３４ｂの外部へ突出される。
【０１７８】
図１６，図１７は、上部収容ハウジング１３４の収容空間１３４ｂに吸着ハウジング１５０の全体が収容された状態、即ち吸着ハウジング１５０が初期位置に位置している状態を示している。
【０１７９】
吸着ハウジング１５０は、図１６、図１７、図１９〜図２１に示すように、略直方体の形状の部材であり、一側面に吸着部材１５１が設けられている。なお、吸着部材１５１が設けられている側面を、吸着面と称する。吸着部材１５１は、例えば、上記実施形態の吸着部材１５と同じである。また、吸着面に対する吸着部材１５１の取付構造についても、上記実施形態における、上腕端面２５に対する吸着部材１５の取付構造と基本的に同じである。
【０１８０】
吸着ハウジング１５０は、吸着面が上部収容ハウジング１３４の開口部１３４ａを介して上部収容ハウジング１３４の外部に露出した状態で、収容空間１３４ｂに収容される。吸着ハウジング１５０は、上部収容ハウジング１３４に対し、図１９において状態Ａで示される初期位置から、図１９において状態Ｃで示される最大突出位置まで、移動され得る。
【０１８１】
初期位置に位置している吸着ハウジング１５０の吸着面は、開口部１３４ａから突出しておらず、開口部１３４ａの開口面と略同一面に位置している。吸着ハウジング１５０が最大突出位置まで移動されると、吸着ハウジング１５０の半分弱が開口部１３４ａから突出する。
【０１８２】
スライダ装着部１３４ｃは、上部収容ハウジング１３４における上面の略中央部に設けられている。スライダ装着部１３４ｃは、収容空間１３４ｂに連通する略矩形状の開口部を含む。スライダ装着部１３４ｃには、その開口部を覆うようにスライダ１４０が設けられる。
【０１８３】
スライダ１４０は、図１６〜図１８、図２２〜図２３に示すように、スライドプレート１４１と、操作突部１４２と、ピン１４３とを備える。スライドプレート１４１は、略長方形の板面を有する板状の形状を備えている。操作突部１４２は、スライドプレート１４１における第１の面に突設されている。ピン１４３は、スライドプレート１４１における、第１の面とは反対側の第２の面に突設された、柱状（例えば円柱状）の部材である。
【０１８４】
ピン１４３は、スライドプレート１４１の第２の面において、第２の面の中心部には突設されておらず、第２の面の端部に突設されている。より具体的に、ピン１４３は、スライドプレート１４１の第２の面における、中心部から長辺側へシフトされた位置において、第２の面の長辺を含み且つ第２の面に垂直な面にピン１４３の側面が接するように、立設されている。
【０１８５】
スライダ１４０は、スライダ装着部１３４ｃに対し、操作突部１４２が外部に露出し、ピン１４３が収容空間１３４ｂ内に延設された状態になるように設けられる。
また、スライダ１４０は、スライダ装着部１３４ｃに対し、スライドプレート１４１における長辺が対向面と平行（即ち開口部１３４ａの開口面と平行）になるよう、且つスライドプレート１４１における短辺が対向面に垂直になるように設けられる。
【０１８６】
また、スライダ１４０は、スライダ装着部１３４ｃに対し、スライドプレート１４１の２つの長辺のうちピン１４３が立設されている側の長辺が開口部１３４ａに近い位置に配置されるように設けられる。そのため、ピン１４３は、スライダ装着部１３４ｃの中心部よりも開口部１３４ａ側にシフトされた位置に配置される。
【０１８７】
また、スライダ１４０は、使用者による第１のスライド方向へのスライド操作に応じて第１のスライド方向へ移動され、第１のスライド方向とは反対の第２のスライド方向へのスライド操作に応じて第２のスライド方向へ移動されるように設けられる。第１のスライド方向及び第２のスライド方向は、吸着ハウジング１５０が初期位置から最大突出位置まで移動される突出方向と非平行（例えば垂直）な方向である。
【０１８８】
使用者は、スライダ１４０における操作突部１４２を掴みながらスライダ１４０をスライド操作させることができる。スライド操作に応じてスライダ１４０が移動されると、スライダ１４０におけるピン１４３もその移動される方向と同じ方向へ移動される。
【０１８９】
吸着ハウジング１５０の、初期位置から最大突出位置までの突出方向への移動は、スライダ１４０が第１のスライド方向へスライド操作されることにより行われる。吸着ハウジング１５０の、最大突出位置から初期位置までの収容方向への移動は、スライダ１４０が、第１のスライド方向とは逆の第２のスライド方向へスライド操作されることにより行われる。突出方向及び収容方向は、水平面に平行であって対向面に垂直な方向である。
【０１９０】
図１６，図１７，及び図１９における状態Ａは、スライダ１４０が、スライド可能範囲のうち第２のスライド方向の端部に位置している状態を示している。この位置からスライダ１４０が第１のスライド方向へスライド操作されると、吸着ハウジング１５０が収容空間１３４ｂから突出方向へ移動される。
【０１９１】
図１９における状態Ｂは、スライダ１４０が、状態Ａの位置から第１のスライド方向へ移動されて、スライド可能範囲における略中間位置まで到達した状態を示している。この状態Ｂでは、吸着ハウジング１５０が開口部１３４ａから突出方向へ突出されている。
【０１９２】
状態Ｂからさらにスライダ１４０が第１のスライド方向へ移動されて、スライド可能範囲における第１のスライド方向の端部に到達すると、状態Ｃに示すように、スライダ１４０が最大突出位置まで突出した状態となる。
【０１９３】
状態Ｃから、上記とは逆にスライダ１４０が第２のスライド方向へスライド操作されると、吸着ハウジング１５０は収容方向へ移動し、状態Ｂを経て最終的に状態Ａに戻る。このように、使用者は、スライダ１４０をスライド操作することで、吸着ハウジング１５０を、初期位置から最大突出位置までの一定長の範囲内で移動させることができる。
【０１９４】
なお、収容空間１３４ｂ内における、吸着ハウジング１５０の、突出方向及び収容方向以外の方向への移動は、上部収容ハウジング１３４の両側面によって規制される。
スライダ１４０がスライド操作されることによって吸着ハウジング１５０が移動されることについて、吸着ハウジング１５０の具体的構成と共により詳しく説明する。
【０１９５】
吸着ハウジング１５０は、図２０、図２１に示すように、溝部１５２を備える。溝部１５２は、吸着ハウジング１５０において、上面１５６から下面１５７まで貫通するように設けられている。なお、上面１５６及び下面１５７はいずれも水平面に平行である。
【０１９６】
溝部１５２には、スライダ１４０におけるピン１４３が挿入される。なお、図１６〜図１９は、上部収容ハウジング１３４内の吸着ハウジング１５０においては上面１５６からピン１４３が挿入され、下部収容ハウジング１３５内の吸着ハウジング１５０においては下面１５７からピン１４３が挿入される。
【０１９７】
溝部１５２は、挿入溝１５２ａと、２つの溝端部１５２ｂ，１５２ｃとを備える。
挿入溝１５２ａは、突出方向に非平行な方向であって、且つスライダ１４０がスライド操作される方向にも非平行な方向に沿って設けられる。挿入溝１５２ａの幅は、ピン１４３の外径より若干大きい程度である。そのため、ピン１４３は、挿入溝１５２ａ内において、挿入溝１５２ａの内壁に常に内接されるか、若しくは常には内接しないものの挿入溝１５２ａの内壁のごく近くに位置される。
【０１９８】
２つの溝端部１５２ｂ，１５２ｃは、挿入溝１５２ａの第１端及び第２端からスライダ１４０のスライド方向へ屈曲するように延設された、略半円筒状の領域である。２つの溝端部１５２ｂ，１５２ｃの内径は、挿入溝１５２ａの幅とほぼ同じである。２つの溝端部１５２ｂ，１５２ｃには、スライダ１４０のピン１４３が嵌入される。
【０１９９】
また、溝部１５２の内壁には、２つの規制部材１５３，１５４が設けられている。２つの規制部材１５３，１５４は、挿入溝１５２ａと２つの溝端部１５２ｂとの境界部又はその近傍において、溝部１５２の内壁から突設されたリブ状の部材である。
【０２００】
規制部材１５３は、溝端部１５２ｂに嵌入されたピン１４３が溝端部１５２ｂから挿入溝１５２ａへ移動されるのを規制する。規制部材１５４は、溝端部１５２ｃに嵌入されたピン１４３が溝端部１５２ｃから挿入溝１５２ａへ移動されるのを規制する。なお、規制部材１５３，１５４によるピン１４３の規制効果は限定的であり、溝端部１５２ｂ又は１５２ｃに嵌入されたピン１４３が一定以上の力で挿入溝１５２ａへ移動されようとすると、ピン１４３は、規制部材１５３，１５４を越えて挿入溝１５２ａへ移動される。
【０２０１】
図１９における状態Ａでの、上部収容ハウジング１３４、スライダ１４０及び吸着ハウジング１５０の位置関係は、図２４に示す通りである。状態Ａでは、既述の通り、吸着ハウジング１５０が初期位置に位置している。
【０２０２】
図２４に示すように、状態Ａでは、スライダ１４０のピン１４３が、吸着ハウジング１５０の溝部１５２における溝端部１５２ｂに嵌入された状態となっている。ピン１４３が溝端部１５２ｂに嵌入されていることにより、仮に、吸着ハウジング１５０に対して突出方向又は収容方向への外力が加わっても、溝端部１５２ｂの内壁がピン１４３に当接することによって、吸着ハウジング１５０が突出方向又は収容方向へ移動されるのが規制される。
【０２０３】
状態Ａ（即ち初期位置）から、使用者によってスライダ１４０が第１のスライド方向へスライド操作されると、ピン１４３が溝端部１５２ｂから離れて挿入溝１５２ａへ進入し、挿入溝１５２ａの内壁に当接する。ピン１４３が挿入溝１５２ａの内壁に当接した後、スライダ１４０がさらに第１のスライド方向へスライド操作されると、ピン１４３によって挿入溝１５２ａの内壁に第１のスライド方向への荷重が加えられる。このピン１４３から加えられる荷重は、吸着ハウジング１５０に対して、吸着ハウジング１５０を突出方向へ移動させるように作用し、これにより吸着ハウジング１５０は突出方向へ移動される。吸着ハウジング１５０が突出方向へ移動されることに応じて、ピン１４３は、挿入溝１５２ａに沿って相対的に溝端部１５２ｃに向けて移動する。
【０２０４】
スライダ１４０のスライド操作が進んで、吸着ハウジング１５０が初期位置と最大突出位置との略中間の位置まで移動されたとき、上部収容ハウジング１３４、スライダ１４０及び吸着ハウジング１５０の位置関係は、図２５に示すような位置関係となる。なお、図２５は、図１９における状態Ｂでの位置関係を示している。
【０２０５】
図２５（即ち状態Ｂ）からさらにスライダ１４０の第１のスライド方向へのスライド操作が進むと、最終的に、図２６に示すように、ピン１４３が溝端部１５２ｃに嵌入する。図２６は、吸着ハウジング１５０が最大突出位置まで突出された状態、即ち、図１９における状態Ｃに対応した状態を示している。
【０２０６】
図２６に示す状態では、ピン１４３が溝端部１５２ｃに嵌入されていることにより、仮に、吸着ハウジング１５０に対して突出方向又は収容方向への外力が加わっても、溝端部１５２ｃの内壁がピン１４３に当接することによって、吸着ハウジング１５０が突出方向又は収容方向へ移動されるのが規制される。
【０２０７】
図２６に示す状態（即ち状態Ｃ）から、スライダ１４０が第２のスライド方向へスライド操作されると、第１のスライド方向へのスライド操作時と同様にピン１４３が挿入溝１５２ａの内壁に作用することにより、吸着ハウジング１５０が収容方向へ移動される。つまり、スライダ１４０を第２のスライド方向へスライド操作させることで、状態Ｃから状態Ｂを経て状態Ａに移行させることができる。
【０２０８】
なお、スライダ１４０において、ピン１４３は、スライドプレート１４１の第２の面におけるどの位置に立設されてもよく、例えば、第２の面の中心部に立設されてもよい。
ただし、図２４〜図２６を参照して明らかなように、仮に、ピン１４３が第２の面の中心部に立設されると、スライドプレート１４１の位置が開口部１３４ａにより近付く。スライドプレート１４１の位置が開口部１３４ａに近くなると、取付ユニット１３１が取付対象面２に取り付けられた場合に、スライドプレート１４１が取付対象面２に近くなって、使用者によるスライダ１４０の操作性が低下する可能性がある。
【０２０９】
これに対し、図２２，図２３等に示すスライダ１４０は、ピン１４３がスライドプレート１４１における端部に立設されている。そして、スライダ１４０は、スライダ装着部１３４ｃに対し、ピン１４３が立設された端部が開口部１３４ａに近くなるように設けられる。そのため、スライドプレート１４１の位置が開口部１３４ａから遠ざけられ、使用者によるスライダ１４０のスライド操作の操作性が向上される。
【０２１０】
なお、スライダ１４０は本開示におけるスライド操作部の一例に相当する。ピン１４３は本開示における柱状部材の一例に相当する。挿入溝１５２ａは本開示における移動作用部の一例に相当する。
【０２１１】
図１６〜図２６に示す例においても、吸着ハウジング１５０における吸着部材１５１に関しては上記の（２−３）〜（２−６）の事項が適用され得る。また、スライダ１４０がスライド操作される第１のスライド方向及び第２のスライド方向は、対向面に非平行な方向、即ち突出方向に非垂直な方向であってもよい。第１のスライド方向及び第２のスライド方向は、突出方向に非垂直且つ非平行な方向であってもよい。
【０２１２】
また、上部収容ハウジング１３４及び下部収容ハウジング１３５における、スライダ１４０が設けられる側面は、図１６に示した側面とは異なる側面であってもよい。
また、吸着ハウジング１５０における挿入溝１５２ａは、突出方向と平行な方向を除き、どのような方向に沿って設けられてもよい。例えば、挿入溝１５２ａは、突出方向と垂直な方向に沿って設けられてもよい。この場合、スライダ１４０は、挿入溝１５２ａが沿う方向と非平行且つ非垂直となる方向へスライド操作されるように設けられるとよい。
【０２１３】
また、吸着ハウジング１５０は、初期位置において、収容ハウジングの開口部から突出していてもよい。
また、使用者の操作によって吸着ハウジング１５０を移動させる具体的方法は、上記のスライダ１４０及び挿入溝１５２ａを用いた方法とは異なる方法であってもよい。使用者の操作に応じて吸着ハウジング１５０を突出方向及び収容方向に移動させることが可能な他の様々な方法を採用してもよい。
【０２１４】
（２−１２）取付対象面は、上記実施形態の取付対象面２のように鉛直方向と平行に立設されているものに限定されない。鉛直方向に対して一定の角度をなすような傾斜した取付対象面に対しても、本開示の取付ユニットを取り付け可能である。
【０２１５】
（２−１３）取付ユニットに装着可能な電気機器は、レーザー墨出し器に限定されない。取付ユニットに装着可能なバッテリパックのバッテリ電力によって動作可能な各種の電気機器を、取付ユニットに装着できるようにしてもよい。
【０２１６】
（２−１４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【０２１７】
１，１００，１２０…電気機器ユニット、２…取付対象面、３，１０１，１２１，１３１…電気機器取付ユニット、５…電気機器、７…バッテリパック、１０，１０２…取付部、１１，１０３，１２３，１３３…バッテリ支持部、１２，１０４，１２４…上腕部、１３，１０５，１２５…下腕部、１４…バッテリ収容空間、１５，１６，１０８，１５１…吸着部材、１７…バッテリ装着部、２０…端子台、２１…正極接続端子、２２…負極接続端子、２５…上腕端面、２６…下腕端面、３０，１１０…機器支持部、３１…機器載置面、３２…支持ネジ取付部、３３…ネジ配置空間、３４…ネジ貫通穴、３５…つまみネジ、３６…ネジ部、５５…ＤＣプラグ、５６…給電コード、６４…ＤＣジャック、７１…バッテリ、１２２…取付支持部、１３４…上部収容ハウジング、１３４ａ，１３５ａ…開口部、１３４ｂ，１３５ｂ…収容空間、１３４ｃ，１３５ｃ…スライダ装着部、１３５…下部収容ハウジング、１４０…スライダ、１４１…スライドプレート、１４２…操作突部、１４３…ピン、１５０…吸着ハウジング、１５２…溝部、１５２ａ…挿入溝、１５２ｂ，１５２ｃ…溝端部、１５３，１５４…規制部材。
【図１】
2018130010.tif 000003
【図２】
2018130010.tif 000004
【図３】
2018130010.tif 000005
【図４】
2018130010.tif 000006
【図５】
2018130010.tif 000007
【図６】
2018130010.tif 000008
【図７】
2018130010.tif 000009
【図８】
2018130010.tif 000010
【図９】
2018130010.tif 000011
【図１０】
2018130010.tif 000012
【図１１】
2018130010.tif 000013
【図１２】
2018130010.tif 000014
【図１３】
2018130010.tif 000015
【図１４】
2018130010.tif 000016
【図１５】
2018130010.tif 000017
【図１６】
2018130010.tif 000018
【図１７】
2018130010.tif 000019
【図１８】
2018130010.tif 000020
【図１９】
2018130010.tif 000021
【図２０】
2018130010.tif 000022
【図２１】
2018130010.tif 000023
【図２２】
2018130010.tif 000024
【図２３】
2018130010.tif 000025
【図２４】
2018130010.tif 000026
【図２５】
2018130010.tif 000027
【図２６】
2018130010.tif 000028